(57)【要約】    【課題】  本発明の目的は、自家発電設備の発電電力の電力損失を低減して他方の負荷系統に給電することができる２回線負荷給電装置を提供することにある。    【解決手段】  自家発電設備１４の発電電力が給電している一方の負荷群１０の負荷電力より大きくなると２つの回線１、２の負荷側遮断器５，８の負荷側端を接続する連係遮断器９を閉操作し、他方の回線２の電源側遮断器７と負荷側遮断器８を開操作する。【選択図】  図１
2005124342.tif 000002
【特許請求の範囲】
【請求項１】
変圧器の電源側と負荷側にそれぞれ遮断器が接続されている第１回線と、変圧器の電源側と負荷側にそれぞれ遮断器が接続されている第２回線と、前記第１回線と第２回線の両負荷側遮断器の負荷側端を接続する連係遮断器と、前記第１回線から給電される第１負荷群と、前記第２回線から給電される第２負荷群と、前記第１負荷群に給電する自家発電設備と、前記第１負荷群に給電される負荷電力を検出する負荷電力検出手段と、前記自家発電設備の発電電力を検出する自家発電力検出手段と、前記自家発電電力が前記第１負荷群の負荷電力より大きくなると前記連係遮断器を閉操作し、前記第２回線の電源側遮断器と負荷側遮断器を開操作する遮断器制御手段とを具備することを特徴とする２回線負荷給電装置。
【請求項２】
変圧器の電源側と負荷側にそれぞれ遮断器が接続されている第１回線と、変圧器の電源側と負荷側にそれぞれ遮断器が接続されている第２回線と、前記第１回線と第２回線の両負荷側遮断器の負荷側端を接続する通常時に開状態にある連係遮断器と、通常時に前記第１回線から給電される負荷変動大の第１負荷群と、通常時に前記第２回線から給電される第２負荷群と、前記第１負荷群に給電する常用自家発電設備と、前記第１負荷群に給電される負荷電力を検出する負荷電力検出手段と、前記自家発電設備の発電電力を検出する自家発電力検出手段と、前記自家発電電力が前記第１負荷群の負荷電力より設定値以上大きくなると前記連係遮断器を閉操作し、前記第２回線の電源側遮断器と負荷側遮断器を開操作する遮断器制御手段とを具備することを特徴とする２回線負荷給電装置。
【発明の詳細な説明】
【技術分野】
【０００１】
本発明は２つの回線がそれぞれ異なる負荷に給電する２回線負荷給電装置に関する。
【背景技術】
【０００２】
【特許文献１】特開平８―１９１８０号公報
【０００３】
近年、工場などの事業所においては常用自家発電設備を設置して負荷に電力を供給し、電力会社からも電力の供給を受けるようにしている。常用自家発電設備は主として負荷変動の大きいピーク電力を吸収するために用いられる。
【０００４】
一方、電力会社からは電力供給の安定化のために２回線で電力の供給を受けている。２回線によって電力供給を受けることは、上記特許文献１に記載されている。特許文献1は常用と予備として２回線を切替えて用いているが、最近は２つの回線がそれぞれ異なる負荷（2つの負荷群）に給電するようにしている。
【０００５】
１つの回線は変圧器の電源系統側（電源側）と負荷側にそれぞれ遮断器（電源側遮断器と負荷側遮断器）を接続して構成している。一方の回線における変圧器の保守点検時には他方の回線から２つの負荷群に給電するようにしている。そのために、両回線の負荷側遮断器の負荷側端を接続する連係遮断器を設けている。
【０００６】
連係遮断器を常時閉状態にすると、両回線の変圧器が並列接続されることになりインピーダンスが小さくなる。万一、この状態で負荷系統に地絡事故などが発生すると遮断器で遮断できない過大電流が流れ機器を破損することになる。このことを防止するために、変圧器の保守点検時以外は連係遮断器を常に開状態にしている。
【０００７】
２つの回線からそれぞれ給電される2つの負荷群（負荷系統）は一方の系統を負荷変動の大きいものにし、他方の系統を負荷変動が比較的小さいものにしている。負荷変動の大きい負荷系統に常用自家発電設備を接続して給電する。
【発明の開示】
【発明が解決しようとする課題】
【０００８】
従来技術は、常用自家発電設備が負荷変動の大きい一方の負荷系統に給電している。常用自家発電設備は発電電力量が大きくなると電力系統からの買電電力に比べてコストが安くなる。そのため、常用自家発電設備は大きな発電電力で運転することが望まれる。常用自家発電設備の発電電力は負荷変動の大きい一方の負荷系統の負荷電力より大きくなることがある。一方の負荷系統の負荷電力より大きい余剰電力は２つの回線を介して他方の負荷系統に給電されることになる。しかし、２台の変圧器を介して他方の負荷系統に給電されるので電力損失が大になるという問題点を有している。
【０００９】
本発明の目的は、自家発電設備の発電電力の電力損失を低減して他方の負荷系統に給電することができる２回線負荷給電装置を提供することにある。
【課題を解決するための手段】
【００１０】
本発明の特徴とするところは、自家発電設備の発電電力が給電している一方の負荷系統の負荷電力より大きくなると２回線の負荷側遮断器の負荷側端を接続する連係遮断器を閉操作し、他方の回線の電源側遮断器と負荷側遮断器を開操作するようにしたことにある。
【００１１】
換言すると、本発明は自家発電設備の余剰電力を電力損失の少ない連係遮断器を介して他方の負荷系統に給電するものである。
【発明の効果】
【００１２】
本発明は自家発電設備の余剰電力が並列遮断器を介して他方の負荷系統に給電されるので、電力損失を低減して他方の負荷系統に給電することができる。
【発明を実施するための最良の形態】
【００１３】
第１と第２の２つの回線は変圧器の電源側と負荷側にそれぞれ電源側遮断器と負荷側遮断器が接続されている。両回線の負荷側遮断器の負荷側端は通常時に開状態にある連係遮断器で接続されている。負荷変動の大きい第１負荷群は第１回線から給電され、また、第２負荷群は第２回線から給電される。第１負荷群には常用自家発電設備が接続されている。自家発電設備の自家発電電力が第１負荷群の負荷電力より大きくなると連係遮断器を閉操作し、第２回線の電源側遮断器と負荷側遮断器を開操作する。
【実施例】
【００１４】
図１に本発明の一実施例を示す。
【００１５】
図１において、電力系統からの電力は２つの回線１、２を介して給電される。回線１を第１回線、回線２を第２回線と称する。第１回線１は変圧器３の電源側と負荷側にそれぞれ電源側遮断器４と負荷側遮断器５が接続されている。また、第２回線２は変圧器６の電源側と負荷側にそれぞれ電源側遮断器７と負荷側遮断器８が接続されている。電源側遮断器４、７の電力系統側には系統遮断器などが設けられるが図示を省略している。
【００１６】
両回線１、２の負荷側遮断器５、８の負荷側端は通常時に開状態にある連係遮断器９により接続されている。負荷変動の大きい第１負荷群１０は負荷遮断器１１を介して第１回線１に接続され、また、負荷変動の小さい第２負荷群１２は負荷遮断器１３を介して第２回線２に接続される。なお、第１負荷群１０と第２負荷群１２は複数の負荷から構成される。
【００１７】
第１負荷群１０には主遮断器１５を介して常用自家発電設備１４が接続されている。自家発電設備１４は原動機（ディーゼルエンジン）と発電機から構成される。自家発電設備１４の出力電圧と出力電流は変成器１６と変流器１７で検出され発電電力検出装置１８に加えられる。発電電力検出装置１８は自家発電電力を検出する。また、第１負荷群１０の負荷電圧と負荷電流は変成器１９と変流器２０で検出され負荷電力検出装置２１に加えられる。負荷電力検出装置２１は第１負荷群１０の負荷電力を検出する。
【００１８】
発電電力検出装置１８で検出した自家発電電力と負荷電力検出装置２１で検出した第１負荷群１０の負荷電力は比較装置２２に入力される。比較装置２２は自家発電電力が第１負荷群の負荷電力より設定値以上大きくなると遮断器操作信号を遮断器制御装置２３に加える。遮断器制御装置２３は比較装置２２の遮断器操作信号を入力すると連係遮断器９を閉操作し、第２回線２の電源側遮断器７と負荷側遮断器８を開操作する。
【００１９】
この構成において、第１回線の電源側統遮断器４と負荷側遮断器５を閉操作し、また、主遮断器１５を閉操作して電力系統と自家発電設備１４から第１負荷群１０に給電する。第１負荷群１０は第１回線１を介して系統電力と自家発電設備１４の自家発電電力を給電される。同様に、第２回線の電源側統遮断器７と負荷側遮断器８を閉操作して第２負荷群１２に給電する。第２負荷群１２は第２回線２を介して系統電力を給電される。この状態では連係遮断器９は開している。２回線負荷給電装置の主回路構成は図２のようになる。
【００２０】
このように第１負荷群１０と第２負荷群１２に給電している状態において、自家発電設備１４の自家発電電力は発電電力検出装置１８で検出され、第１負荷群１０の負荷電力は負荷電力検出装置２１で検出される。発電電力検出装置１８で検出した自家発電電力と負荷電力検出装置２１で検出した第１負荷群１０の負荷電力は比較装置２２に入力される。比較装置２２は自家発電電力が第１負荷群の負荷電力より設定値以上大きくなると遮断器操作信号を遮断器制御装置２３に加える。
【００２１】
遮断器制御装置２３は比較装置２２の遮断器操作信号を入力すると連係遮断器９を閉操作し、第２回線２の電源側遮断器７と負荷側遮断器８を開操作する。２回線負荷給電装置の主回路構成は図３のようになる。第２負荷群１２は第１回線１を介して系統電力と自家発電設備１４の自家発電電力を給電される。つまり、自家発電設備１４で発電した自家発電電力のうち第１負荷群１０に給電している負荷電力の余剰電力は連係遮断器９を介して第２負荷群１２に給電される。
【００２２】
比較装置２２は自家発電設備１４の自家発電電力が第１負荷群の負荷電力より小さくなると遮断器操作信号を出力しなくなる。なお、比較装置２２は自家発電電力が第１負荷群の負荷電力より設定値以上大きくなると遮断器操作信号を発生し、第１負荷群の負荷電力より小さくなると遮断器操作信号を消滅させるようにヒステリシス特性を持たせている。これは頻繁な遮断器の切替えを防止するためである。
【００２３】
遮断器制御装置２３は比較装置２２の遮断器操作信号が消滅すると連係遮断器９を開操作し、第２回線２の電源側遮断器７と負荷側遮断器８を閉操作する。２回線負荷給電装置の主回路構成は図２のようになる。第２負荷群１２は第２回線２を介して系統電力を給電される。
【００２４】
ここで、第１回線１の変圧器３の保守点検は２回線負荷給電装置の主回路構成を図4に示すようにして行われる。第１負荷群１０は第２回線２を介して系統電力と自家発電設備１４の自家発電電力を給電される。また、第２回線２の変圧器６の保守点検は２回線負荷給電装置の主回路構成を図５に示すようにして行われる。第２負荷群１２は第１回線１を介して系統電力を給電される。
【００２５】
このようにして２回線による負荷給電を行うのであるが、自家発電電力が給電している一方の負荷系統の負荷電力より大きくなると連係遮断器を閉操作し、他方の回線の電源側遮断器と負荷側遮断器を開操作して自家発電設備の余剰電力を電力損失の少ない連係遮断器を介して他方の負荷系統に給電している。したがって、自家発電設備の余剰電力が並列遮断器を介して他方の負荷系統に給電されるので、電力損失を低減して他方の負荷系統に給電することができる。
【図面の簡単な説明】
【００２６】
【図１】本発明の一実施例を示す構成図である。
【図２】本発明を説明するための主回路構成図である。
【図３】本発明を説明するための主回路構成図である。
【図４】本発明を説明するための主回路構成図である。
【図５】本発明を説明するための主回路構成図である。
【符号の説明】
【００２７】
１、２…回線、３、６…変圧器、４、７…電源側遮断器、５、８…負荷側遮断器、９…連係遮断器、１０、１２…負荷群、１１、１３…負荷遮断器、１４…自家発電設備、１５…主遮断器、１６、１９…変成器、１７、２０…変流器、１８…発電電力検出装置、２１…負荷電力検出装置、２２…比較装置、２３…遮断器制御装置。
【図１】
2005124342.tif 000003
【図２】
2005124342.tif 000004
【図３】
2005124342.tif 000005
【図４】
2005124342.tif 000006
【図５】
2005124342.tif 000007